(57)【特許請求の範囲】
【請求項１】
読取位置に原稿を自動的に搬送する自動原稿搬送装置を搭載し、該自動原稿搬送装置によって読取位置に搬送される原稿の画像を読取るとともに、読取った画像を記録紙に記録する画像形成装置において、
発光素子および受光素子の対からなり、任意の位置に設置された複数の光センサを有し、前記発光素子から原稿または記録紙に照射された光を前記受光素子によって受光して原稿または記録紙の有無を検知することにより、原稿の搬送位置、大きさ、または記録紙の搬送位置の少なくとも１つ以上を検知する検知手段を有し、
該検知手段は、発光素子の発光パターンと受光素子の受光パターンを比較し、該比較結果に基づいて原稿または記録紙の有無を判断することを特徴とする画像形成装置。
【請求項２】
読取位置に搬送された原稿に画像読取り用の光を照射する照明部材を有し、
前記検知手段は、前記発光素子の発光パターンを前記照明部材の発光パターンと異なるパターンに設定したことを特徴とする請求項１記載の画像形成装置。
【請求項３】
前記検知手段は、予め前記受光素子に所定時間だけ入力された信号のパターンを記憶する記憶部を有し、該記憶部に記憶された前記信号のパターンと異なる発光パターンで前記発光素子を発光させることを特徴とする請求項１または２記載の画像形成装置。
【発明の詳細な説明】
【０００１】
【発明の属する技術分野】
本発明は、複写機、ファクシミリ装置等の画像形成装置に関し、詳しくは、発光素子および受光素子の対からなり、任意の位置に設置された複数の光センサを有し、前記発光素子から原稿または記録紙に照射された光を前記受光素子によって受光して原稿または記録紙の有無を検知することにより、原稿の搬送位置、大きさ、または記録紙の搬送位置の少なくとも１つ以上を検知する検知手段を有する画像形成装置に関する。
【０００２】
【従来の技術】
従来のこの種の光センサを用いて原稿の有無を検知するものとしては、例えば、特開平１ー２５３７２２号公報（以下、第１従来例という）または特開平３ー２４１３３４号公報（以下、第２従来例という）に記載されたようなものが知られている。
【０００３】
第１従来例に記載されたものは、原稿を照射する発光素子および原稿の反射光を受光する受光素子を有し、その受光素子の出力から原稿のサイズを検知する原稿サイズ検知手段を備えた画像形成装置に関するものであり、発光素子をパルス発光させ、かつそのパルスの周波数あるいはデューティ比を変更させ、その発光素子で可変されるパルス発光を受光素子で受光することにより、発光素子および受光素子の温度特性や各々単品としての特性のばらつきによる誤差を後から容易に補正することができるようにしている。
【０００４】
また、第２従来例に記載されたものは、原稿を照射する発光素子および原稿の反射光を受光する受光素子を有し、その受光素子の出力から原稿のサイズを検知する原稿サイズ検知手段に関するものであり、原稿をコンタクトガラスに押し付ける圧板の開放状態のときと原稿サイズ検知処理時帯を含む第１の期間と、原稿サイズ検知処理終了後から圧板が開放状態になるまでの第２の期間とで発光素子を駆動する駆動パルスのデューティ比を変化させることにより、原稿の検知を行なう際に、発光素子をＯＦＦの状態から一気に駆動をかけないようにして、検知時に常に安定した光量で発光できるようにしている。
【０００５】
【発明が解決しようとする課題】
しかしながら、第１および第２従来例に記載されたものは、発光素子の駆動パルスの周波数やデューティ比を変化させて発光させることにより、発光素子および受光素子の特性のばらつきによる誤差を後から補正したり、発光素子をＯＦＦの状態から一気に駆動をかけないようにして、原稿の検知時に常に安定した光量で発光できるようにしているが、受光素子で受光される信号は、何れも変更された駆動パルスの周波数やデューティ比に依存され、受光素子はこの駆動パルスの光信号に基づいて原稿の有無を検知することになる。
【０００６】
このため、原稿を読取るために原稿に光を照射する蛍光灯やハロゲンランプ等の照明部材、あるいは、画像形成装置を設置する場所にある屋内照明用の蛍光灯等から発光する外来光を受光素子が検知した場合に、原稿が無いのにも拘わらず原稿有りと誤検知してしまうという問題があった。
そこで本発明は、原稿が無い場合に、受光素子が外来光を検知した場合にも原稿有りと誤検知するのを確実に防止することができる光センサを備えた画像形成装置を提供することを目的としている。
【０００７】
【課題を解決するための手段】
請求項１記載の発明は、上記課題を解決するために、読取位置に原稿を自動的に搬送する自動原稿搬送装置を搭載し、該自動原稿搬送装置によって読取位置に搬送される原稿の画像を読取るとともに、読取った画像を記録紙に記録する画像形成装置において、発光素子および受光素子の対からなり、任意の位置に設置された複数の光センサを有し、前記発光素子から原稿または記録紙に照射された光を前記受光素子によって受光して原稿または記録紙の有無を検知することにより、原稿の搬送位置、大きさ、または記録紙の搬送位置の少なくとも１つ以上を検知する検知手段を有し、該検知手段は、発光素子の発光パターンと受光素子の受光パターンを比較し、該比較結果に基づいて原稿または記録紙の有無を判断することを特徴としている。
【０００８】
その場合、発光素子の発光パターンと受光素子の受光パターンを比較してこの比較結果に基づいて原稿または記録紙の有無を判断しているため、原稿が無い場合に、受光素子が照明部材や、画像形成装置を設置する場所にある屋内照明用の蛍光灯等から発光する外来光のように発光する機器による外来光を検知したときに、受光素子が発光素子からの発光パターンを受光したものでないと判断することができる。
【０００９】
この結果、原稿が無い場合に、受光素子が外来光の影響によって原稿有りと誤検知するのを確実に防止することができる。
請求項２記載の発明は、上記課題を解決するために、請求項１記載の発明において、読取位置に搬送された原稿に画像読取り用の光を照射する照明部材を有し、前記検知手段は、前記発光素子の発光パターンを前記照射部材の発光パターンと異なるパターンに設定したこと特徴としている。
【００１０】
このようにすることで、原稿照射用の照明部材の環境化で受光素子が発光素子からの光を受光する際、原稿が無いのにも拘わらず照明部材による発光に基づいて原稿有りと誤検知するのを確実に防止することができる。
請求項３記載の発明は、上記課題を解決するために、請求項１または２記載の発明において、前記検知手段は、予め前記受光素子に所定時間だけ入力された信号のパターンを記憶する記憶部を有し、該記憶部に記憶された前記信号のパターンと異なる発光パターンで前記発光素子を発光させることを特徴としている。
【００１１】
その場合、画像形成装置を任意の場所に設置した場合、受光素子に所定時間だけ入力された外来光を検知することにより、この設置場所にある屋内照明用の蛍光灯等から発光する外来光を記憶し、この外来光と異なるパターンで受光素子に入力された駆動パターンの光信号を発光素子からの光信号と判断することにより、原稿が無いのにも拘わらず屋内照明用の蛍光灯等の外来光による発光に基づいて原稿有りと誤検知するのを確実に防止することができる。
【００１２】
【発明の実施の形態】
以下、本発明の実施形態を図面に基づいて説明する。
図１〜４は本発明に係る画像形成装置の一実施形態を示す図である。なお、画像形成装置としては、複写機、ファクシミリ装置等に適用できるが、本実施形態では、画像形成装置を複写機に適用した例を説明する。
【００１３】
まず、構成を説明する。図１、２において、１は複写機であり、この複写機１の本体１ａの上部には読取位置であるスリットガラス２が設けられ、スリットガラス２は原稿の数行分の画像に相当する面積を有している。
このスリットガラス２の下方には露光ランプ（照明部材）３と第１ミラー４、レンズ５、第２ミラー６からなる読取手段が設けられており、この読取手段は、スリットガラス２の読取位置上で原稿を読取る際に、露光ランプ３によって原稿面に光を照射した後、この反射光を第１ミラー４、レンズ５、および第２ミラー６を介して感光体ドラム７に画像を結像するようになっている。
【００１４】
感光体ドラム７に結像された静電潜像は図示しない現像装置によってトナー等が付着されるようになっており、このトナー画像は転写チャーヂャで記録紙に転写された後、定着部材で記録紙にトナー画像が定着されることにより、転写紙に原稿の画像が転写されるようになっている。なお、これら感光体ドラム、現像装置、転写チャージャ、定着部材は画像形成手段を構成している。
【００１５】
また、画像形成装置１の上部には自動原稿搬送装置（以下単にＡＤＦという）８が装着されており、このＡＤＦ８は図示しないヒンジを介して複写機１に連結され、複写機１に対して開閉自在となっている。
このＡＤＦ８は原稿面が上向きにされた複数の原稿からなる原稿束を載置可能な原稿テーブル９を有しており、この原稿テーブル９は支点９ａを中心に揺動可能になっている。この原稿テーブル９の原稿搬送方向下流側には突き当て板１０が設けられており、原稿テーブル９に載置された原稿束は突き当て板１０に突き当てられて給紙位置にセットされるようになっている。
【００１６】
この突き当て板１０の上方には底板１１が設けられており、この底板１１はソレノイド１００により駆動され、実線で示す位置と破線で示す位置の間で駆動されるようになっている。そして、複写機１からコピースタート信号が入力されると、破線で示す位置に上昇して原稿を呼び出しコロ１２に加圧するようになっている。
呼び出しコロ１２はこの原稿束Ｐから上部に位置する原稿を給紙するようになっており、この原稿は分離ベルト１３および分離コロ１４からなる分離手段によって最上位に位置する原稿が分離されるようになっており、この分離された原稿はプルアウト駆動ローラ１５およびプルアウト従動ローラ１６に挟持されて第１搬送経路１７に沿ってスリットガラス２に搬送される。
【００１７】
プルアウト駆動ローラ１５の近傍にはレジストセンサ１８が設けられており、このレジストセンサ１８は原稿の先端を検知してコントローラ１９に信号を出力するようになっている。コントローラ１９はこのセンサ１８から信号に基づいて原稿の読取りを開始するとともに、給紙スタート信号の入力後に一定時間経過しても原稿の先端を検知しない場合には原稿ジャムと判断するようになっている。
【００１８】
スリットガラス２を通過した原稿は搬送駆動ローラ２１および搬送従動ローラ２２に挟持されて第２搬送経路２０に搬送されるようになっており、この原稿は排紙駆動ローラ２３および排紙下従動ローラ２４に挟持されて原稿テーブル９の下方に設けられた排紙部２５上に排紙されるようになっている。
また、排紙駆動ローラ２３の近傍には排紙センサ２６が設けられており、この排紙センサ２６は原稿の先端を検知してコントローラ１９に信号を出力するようになっている。コントローラ１９は原稿の読取りが開始されてから一定時間経過しても排紙センサ２６が原稿の先端を検知しない場合、または、原稿の読取りが終了してから一定時間経過しても排紙センサ２６が原稿の後端を検知しない場合に原稿ジャムと判断するようになっている。
【００１９】
また、排紙駆動ローラ２３の原稿搬送方向の下流側には切換爪２７が設けられており、この切換爪２７はソレノイド１０１によって実線で示す位置と破線で示す位置の間で揺動するように駆動される。
切換爪２７は片面原稿の搬送時に実線で示す位置に切換えられることにより、原稿を排紙部２５に排紙するとともに、両面原稿の搬送時に破線で示す位置に切換えられて片面の読取りが終了した両面原稿、または両面の読取りが終了した両面原稿を原稿テーブル９とこの原稿テーブル９の下部に設けられた中間トレイ２８との間によって形成される第３搬送経路２９に搬送するようになっている。
【００２０】
切換爪２７の切換えに際しては、片面の読取りが終了した両面原稿、または両面の読取りが終了した両面原稿の先端が排紙センサ２６によって検知されたときに、コントローラ１９がこの検知情報に基づいてソレノイド１０１を駆動して切換爪２７を破線で示す位置に切換えるようになっている。
また、中間トレイ２８には正逆回転可能な反転駆動ローラ３０が設けられているとともに、原稿テーブル９には反転駆動ローラ３０に摺接する反転従動ローラ３１が設けられており、第３搬送経路２９に搬送された原稿の後端が排紙センサ２６によって検知されると、コントローラ１９がこのセンサ２６の検知情報が入力してから一定時間経過後にソレノイド１０１を駆動して切換爪２７を実線で示す位置に切換えるようになっている。
【００２１】
また、これと同時に反転駆動ローラ２３を正転方向である時計方向から反時計方向に逆転駆動して原稿を第４搬送経路３２にスイッチバックするようになっている。この原稿は排紙駆動ローラ２３と排紙上従動ローラ３３に挟持されて第４搬送経路３２を通して第１搬送経路１７に搬送されるようになっている。
また、反転駆動ローラ３０の近傍には反転センサ３４が設けられており、この反転センサ３４は原稿の先端を検知してコントローラ１９に信号を出力するようになっている。コントローラ１９は原稿の読取りが終了してから一定時間経過しても反転センサ３４が原稿の先端を検知しない場合に原稿ジャムと判断するようになっている。
【００２２】
また、原稿の後端が排紙センサ２６によって検知され、コントローラ１９がこのセンサ２６の検知情報が入力してから一定時間経過後するまでの間は排紙駆動ローラ２３は停止されるようになっており、第３搬送経路２９からスイッチバックされる原稿の先端（スイッチバック前は後端である）が排紙駆動ローラ２３と排紙上従動ローラ３３のニップ部に進入する際に原稿のスキューが矯正された後、排紙駆動ローラ２３が駆動されることにより、原稿が第４搬送経路３２に搬送されるようになっている。
【００２３】
一方、原稿テーブル９上には３つの原稿サイズ検知センサ３５、３６、３７が配設されており、この原稿サイズ検知センサ３５〜３７は原稿の大きさに対応する位置に配設され、原稿テーブル９に載置された原稿束を検出してコントローラ１９に信号を出力するようになっている。コントローラ１９はそのセンサ３５〜３７の検知信号の組合せによって原稿の大きさを判断するようになっている。
【００２４】
上述したレジストセンサ１８、排紙センサ２６、反転センサ３４および原稿載置検知センサ３５〜３７は全て図３（ａ）に示す発光素子３８および受光素子３９が対になった光センサ４０から構成されており、図３（ｂ）に示すように発光素子３８から原稿Ｐに光を照射し、原稿からの反射光を受光素子３９で受光することにより、原稿の有無を検知するようになっている。そして、コントローラ１９は受光素子３９からの検知情報に基づいて原稿の有無を判別し、原稿の位置、大きさを判別するようになっている。
【００２５】
また、発光素子３８および受光素子３９には駆動電圧Ｖｃｃが供給されるようになっており、発光素子３８に供給される駆動電圧Ｖｃｃは図４（ａ）に示すように、任意の周波数ｆ１、ｆ２、ｆ３からなる駆動パターンになっており、この周波数ｆ１、ｆ２、ｆ３は露光ランプ３の発光周波数とは異なる周波数に設定されている。
そして、受光素子３９で受光された光信号は変換器４１によって電気信号に変換されて増幅された後、コントローラ１９に出力されるようになっている。また、コントローラ１９は発光素子３８に周波数ｆ１、ｆ２、ｆ３からなる駆動電圧Ｖｃｃを供給するようになっており、この駆動電圧Ｖｃｃのパターンと変換器４１から出力された信号を比較して原稿の有無を判断する。本実施形態では、コントローラ１９、発光素子３８および受光素子３９が検知手段を構成している。
【００２６】
また、呼び出しコロ１２、分離ベルト１３、プルアウト従動ローラ１６はカバー４２に取付けられており、このカバー４２は支点４２ａを中心に回動することにより、第１搬送経路１７を開放して第２搬送経路１７上および第４搬送経路３２上のジャム原稿を除去可能になっている。また、給紙テーブル９も支点９ａを中心に破線で示すように上方に移動することにより、第３搬送経路２９上からジャム原稿を除去可能になっている。
【００２７】
さらに、ＡＤＦ８自体もヒンジを介して複写機本体１ａ上面を開放することにより、第２搬送経路２０上からジャム原稿を除去可能になっている。
次に、作用を説明する。
〈片面原稿の搬送〉
原稿テーブルに原稿面を上向きにした状態で突き当て板１０に先端を突き当てるようにして原稿束を載置した後、コピースタートスイッチを押下すると、ソレノイド１００によって底板１１が上昇して原稿束を呼び出しコロ１２に加圧する。
【００２８】
次いで、呼び出しコロ１２により原稿束Ｐから上部に位置する原稿が給紙された後、分離ベルト１３および分離コロ１４によって最上位に位置する原稿が分離され、この分離された原稿がプルアウト駆動ローラ１５およびプルアウト従動ローラ１６に挟持されて第１搬送経路１７に沿ってスリットガラス２に搬送される。
レジストセンサ１８によって原稿の先端が検知されると、読取りが開始される。このとき、スリットガラス２に搬送された原稿には露光ランプ３によって光が照射され、この原稿の反射光が第１ミラー４、レンズ５および第２ミラー６を介して感光体ドラムに結像されることにより、感光体ドラムに静電潜像が形成され、この静電潜像が上述した画像形成手段によって記録紙に転写される。
【００２９】
次いで、スリットガラス２を通過する原稿は搬送駆動ローラ２１および搬送従動ローラ２２に挟持されて第２搬送経路２０に搬送されるが、切換爪２７はソレノイド１０１によって実線で示す位置に位置しているため、排紙駆動ローラ２３および排紙下従動ローラ２４に挟持された原稿は原稿面が下向きになった状態で排紙部２５上に排紙される。
〈両面原稿の搬送〉
本実施形態では表面（最初に読取られる原稿面）が上向きになった両面原稿を原稿テーブル９に載置して上述したように原稿を給紙する。次いで、スリットガラス２を通過した原稿は排紙駆動ローラ２３および排紙下従動ローラ２４に挟持されて搬送される。このとき、排紙センサ２７によって原稿の先端が検知されると、切換爪２７が破線で示す位置に切換えられるため、原稿は第３搬送経路２９に搬送される。
【００３０】
次いで、第３搬送経路２９に搬送された原稿は反転駆動ローラ３０および反転従動ローラ３１によって挟持されて第３搬送経路２９上を搬送され、この原稿の後端が排紙センサ２６によって検知されると、一定時間経過後にソレノイド１０１により切換爪２７が実線で示す位置に切換えられる。
また、このときに、反転駆動ローラ２３が反時計方向に逆転駆動されて原稿を第４搬送経路３２にスイッチバックする。このスイッチバックされた原稿停止状態にある排紙駆動ローラ２３と排紙上従動ローラ３３のニップ部に進入してスキューが矯正された後、排紙駆動ローラ２３が再駆動されることにより、排紙駆動ローラ２３と排紙上従動ローラ３３に挟持されて第４搬送経路３２および第１搬送経路１７を通して表面が下面となるように反転されてスリットガラス２に搬送され、上述したように原稿面の読取りが行なわれる。
【００３１】
読取りが終了した原稿がそのまま排紙部２５に排紙されると、原稿の頁順不揃いになってしまうため、上述した手順と同様の手順で第２搬送経路２０および第３搬送経路２９に搬送した後、スイッチバックして第４搬送経路３２および第１搬送経路１７を通してスリットガラス２上に搬送する。
このときに、切換爪２７は実線で示す位置に復帰するため、読取りを行なわずに、第２搬送経路２０を通して排紙台２５上に排紙する。
【００３２】
一方、原稿テーブル９に設けられた原稿サイズ検知センサ３５〜３７、レジストセンサ１８、排紙センサ２６、反転センサ３４はコントローラ１９によって発光素子３８が発光されるとともに、この発光された光が原稿に反射されて原稿からの反射光が受光素子３９で検知されることにより、コントローラ１９は原稿の有無を検知してこの検知情報から原稿の大きさや位置を判断するようになっている。
【００３３】
ところで、受光素子３９が露光ランプ３から発光される図４（ｂ）に示すようにな光信号を受光する環境下にある場合には、この検知情報に基づいて原稿を検知したものと判断することがあり、第１、２従来例に示すものではこれを原稿有りと誤検知してしまった。
本実施形態では、発光素子３８から発光されるパルス信号を図４（ａ）に示す周波数ｆ１、ｆ２、ｆ３からなる駆動パターンに設定し、発光素子３８から発光されたパルス信号と、受光素子３９がこの周波数ｆ１、ｆ２、ｆ３のＯＮ時間Ｔ１、Ｔ２、Ｔ３に相当する駆動パルス（図４（ｃ）参照）を検知したときに、コントローラ１９がこの両者を比較して一致した場合に、原稿有りと判断し、例えば、図４（ｂ）に示す露光ランプ３からの発光パルスに相当する信号の場合には、発光素子３８から発光されるパルス信号と異なるため、原稿無しと判断する。
【００３４】
また、露光ランプ３以外に発光する機器、例えば、複写機１を設置する場所にある屋内照明用の蛍光灯等から発光する外来光に相当するパルス信号が入力した場合にも、発光素子３８から発光されるパルス信号と比較して一致しないため、原稿無しと判断する。
本実施形態では、複写機１を設置する場所にある屋内照明用の蛍光灯等から発光する外来光によるパルス信号を予め入手するために、発光素子３８をＯＮさせずに受光素子３９を一定時間ＯＮさせて外来光を受光し、この外来光のパルス周波数ｆｎを図示しないメモリ（記憶部）に記憶しておき、このパルス周波数ｆｎと異なったパターンのパルス周波数で発光素子３８をＯＮすることにより、受光素子３９で受光されたパルス周波数がパルス周波数ｆｎと異なったときに原稿有りと検知する。このパルス周波数ｆｎには当然のことながら露光ランプ３のパルス周波数も含まれる。
【００３５】
このように本実施形態では、発光素子３８の発光パターンと受光素子３９の受光パターンを比較し、この比較結果に基づいて原稿の有無を判断するようにしたため、原稿が無い場合に、受光素子３９が露光ランプ３等や屋内照明用の蛍光灯等の外来光を検知したときに、受光素子３９が発光素子３８からの発光パターンを受光したものでないと判断することができ、原稿が無い場合に、受光素子３９が外来光の影響によって原稿有りと誤検知するのを確実に防止することができる。
【００３６】
また、発光素子３８の発光パターンを露光ランプ３の発光パターンと異なるパターンに設定したため、露光ランプ３の環境化で受光素子３９が発光素子３８からの光を受光する際、原稿が無いのにも拘わらず露光ランプ３による発光に基づいて原稿有りと誤検知するのを確実に防止することができる。
さらに、受光素子３９に所定時間だけ入力された信号のパターンを記憶するメモリを設け、このメモリに記憶された信号のパターンと異なる発光パターンで発光素子３８を発光させているため、原稿が無いのにも拘わらず屋内照明用の蛍光灯等による外来光に基づいて原稿有りと誤検知するのを確実に防止することができる。
【００３７】
なお、本実施形態では、ＡＤＦ８に設けられたレジストセンサ１８、排紙センサ２６、反転センサ３４および原稿載置検知センサ３５〜３７を対象にしているが、複写機１には、記録紙を収納する給紙カセット内の記録紙の有無を検知する光センサ、給紙カセットから記録紙排紙トレイまでの搬送経路に設置されたレジストセンサ、排紙センサ等の公知の光センサがあるため、この記録紙を検知する光センサに適用することができることは勿論である。
【００３８】
また、本実施形態では、受光素子３９が原稿から反射された光を受光する光センサに適用しているが、これに限らず、発光素子と受光素子を対向配置し、原稿によって発光素子と受光素子を遮蔽することにより、原稿の有無を検知する光センサに適用することもできる。
【００３９】
【発明の効果】
請求項１記載の発明によれば、発光素子の発光パターンと受光素子の受光パターンを比較してこの比較結果に基づいて原稿または記録紙の有無を判断しているため、原稿が無い場合に、原稿を読取るために原稿に光を照射する蛍光灯やハロゲンランプ等の照明部材、あるいは、画像形成装置を設置する場所にある屋内照明用の蛍光灯等から発光する外来光を検知したときに、受光素子が発光素子からの発光パターンを受光したものでないと判断することができる。
【００４０】
この結果、原稿が無い場合に、受光素子が外来光の影響によって原稿有りと誤検知するのを確実に防止することができる。
請求項２記載の発明によれば、原稿照射用の照明部材の環境化で受光素子が発光素子からの光を受光する際、原稿が無いのにも拘わらず照明部材による発光に基づいて原稿有りと誤検知するのを確実に防止することができる。
【００４１】
請求項３記載の発明によれば、画像形成装置を任意の場所に設置した場合、受光素子に所定時間だけ入力された外来光を検知することにより、この設置場所にある屋内照明用の蛍光灯等から発光する外来光を記憶し、この外来光と異なるパターンで受光素子に入力された駆動パターンの光信号を発光素子からの光信号と判断することにより、原稿が無いのにも拘わらず屋内照明用の蛍光灯等の外来光による発光に基づいて原稿有りと誤検知するのを確実に防止することができる。
【図面の簡単な説明】
【図１】本発明に係る画像形成装置の一実施形態を示す図であり、その画像形成装置に搭載された自動原稿搬送装置の構成図である。
【図２】一実施形態の自動原稿搬送装置の制御系のブロック図である。
【図３】（ａ）は一実施形態の光センサの構成図、（ｂ）はその光センサと原稿の関係を示す図である。
【図４】（ａ）は発光素子からの発光周波数を示す図、（ｂ）は露光ランプから発光された信号を受光素子が受光したときの受光素子の出力信号を示す図、（ｃ）は同図（ａ）の信号を受光素子が受光したときの受光素子の出力信号を示す図である。
【符号の説明】
１    複写機（画像形成装置）
２    スリットガラス（読取位置）
８    ＡＤＦ（自動原稿搬送装置）
１９    コントローラ（検知手段）
３８    発光素子（検知手段）
３９    受光素子（検知手段）
【図１】
0003611707.tif 000002
【図２】
0003611707.tif 000003
【図３】
0003611707.tif 000004
【図４】
0003611707.tif 000005